(57)【特許請求の範囲】
【請求項１】
内容物収容空間（３１）が形成された内容器（３０）と、
前記内容器（３０）の上部に結合されて内容器（３０）を密閉するポンプ支持部（４０）と、
前記ポンプ支持部（４０）の中央上部に取り付けられて内容物をポンピングするポンプ（５０）と、
前記ポンプ（５０）の上部に結合され、外側の対角線方向に向き合う２ヶ所に圧迫突起（６１）が形成された分配板（６０）と、
前記分配板（６０）の上部に結合され、下端の対角線方向に向き合う２ヶ所に圧迫溝（７１）が形成されたリングボタン部材（７０）とを含み
前記ポンプ（５０）は、行程距離が１．５ｍｍ〜３．０ｍｍであり、前記行程距離とシリンダー（５１）の内径の割合が１：５乃至１：１３となるように形成されることを特徴とする、行程距離の短いポンプとリングボタン部材を備えたコンパクト容器。
【請求項２】
前記ポンプ（５０）のシリンダー（５１）はポンプ支持部（４０）の中央に一体に形成されることを特徴とする、請求項１に記載の行程距離の短いポンプとリングボタン部材を備えたコンパクト容器。
【請求項３】
前記ポンプ（５０）は、底面に内容物吸入孔（５８）が形成されたシリンダー（５１）と、前記シリンダー（５１）の底面に装着されて前記内容物吸入孔（５８）を選択的に開閉する吸入弁板（５２）と、前記シリンダー（５１）の上端に載せられるように前記シリンダー（５１）の外側に結合されたブッシング（５３）と、前記シリンダー（５１）の内側に形成されるピストン（５５）と、前記ピストン（５５）の外側に嵌め合わせられ、前記シリンダー（５１）の内側面に密着するピストンリング（５６）と、前記ピストン（５５）の内周面に結合されて上下移動する上下移動部材（５７）と、前記上下移動部材（５７）を弾支する弾性部材（５４）とを含んでなることを特徴とする、請求項１に記載の行程距離の短いポンプとリングボタン部材を備えたコンパクト容器。
【請求項４】
前記ブッシング（５３）の内側水平延長片（５３２）の内側端部はラウンド状に形成されることを特徴とする、請求項３に記載の行程距離の短いポンプとリングボタン部材を備えたコンパクト容器。
【請求項５】
前記ブッシング（５３）の内側水平延長片（５３２）と上下移動部材（５７）の外側延長突輪（５７２）の間には前記上下移動部材（５７）がブッシング（５３）内で遊動的に動けるように０．３ｍｍ乃至１．２ｍｍの隙間（５９）が形成されることを特徴とする、請求項３に記載の行程距離の短いポンプとリングボタン部材を備えたコンパクト容器。
【請求項６】
前記上下移動部材（５７）が一側に傾いた状態で押圧されても、前記ピストンリング（５６）によってシリンダー（５１）の内部が密閉されてポンプ（５０）が正常に作動するように前記ピストンリング（５６）の上部が外側に広がっており、前記ピストンリング（５６）の上部外側が前記上下移動部材（５７）の外側延長突輪（５７２）の内側に密着して結合され、前記ピストンリング（５６）のピストン羽（５６１）がシリンダー（５１）の内側面に密着するように形成されることを特徴とする、請求項３に記載の行程距離の短いポンプとリングボタン部材を備えたコンパクト容器。
【請求項７】
前記リングボタン部材（７０）はリング状に形成され、一側に押圧ボタン（７２）が形成され、前記押圧ボタン（７２）の反対側外側には軸突起（７３）が形成されることを特徴とする、請求項１に記載の行程距離の短いポンプとリングボタン部材を備えたコンパクト容器。
【請求項８】
前記リングボタン部材（７０）を加圧しても又は前記分配板（６０）の上面を押圧しても、ポンピングできるように前記分配板（６０）の圧迫突起（６１）はリングボタン部材（７０）の圧迫溝（７１）に結合されることを特徴とする、請求項１に記載の行程距離の短いポンプとリングボタン部材を備えたコンパクト容器。
【発明の詳細な説明】
【技術分野】
【０００１】
本発明は、行程距離の短いポンプとリングボタン部材を備えたコンパクト容器に関し、より詳しくは、容器本体の上部にポンプ支持部を板状に形成し、前記ポンプ支持部上にポンプを結合するが、前記ポンプは従来のようにピストン、ピストンリング、シリンダー、吸入弁板で形成されたポンプを使い、前記ポンプの行程距離を１．５ｍｍ〜２．５ｍｍに縮めるとともにポンプの行程距離とシリンダー内径の割合を従来の１：１〜１：３から１：５．５〜１：１３の割合に変更して形成することによって容器本体内の内容物収容空間を最大化することができるようにし、またポンプのシリンダーの上部にブッシングを結合し、前記ブッシングの端部をラウンド状に形成し、前記ブッシングと上下移動部材の間に０．３ｍｍ〜１．２ｍｍの隙間を形成して、前記上下移動部材がブッシング内で遊動的に動けるようにして、ポンプの行程距離を短くすることにより、化粧品ポンピング方法が排出板の中心部を垂直に押圧しなければならないものに制限されるものではなく、排出板のどの部位を押圧しても容易に化粧料が排出されるようにする行程距離の短いポンプとリングボタン部材を備えたコンパクト容器に関する。
【背景技術】
【０００２】
色合い化粧品は、顔つきを美しく変化させて皮膚を美しく演出しようとする目的で使われるもので、色を均一にするとともに欠点をカバーするために使われるベースメークアップと唇、目、爪などの立体感を部分的に高めるポイントメークアップに区分され、ベースメークアップはメークアップベース、ファウンデーション、パウダーなどから構成されており、ポイントメークアップはリップスティック、アイライナー、マスカラなどから構成されている。
【０００３】
前記ファウンデーションは、化粧料の形態によって固状ファウンデーション、液状ファウンデーション、ゲル状ファウンデーションに区分され、固状ファウンデーションの場合、カバー力は高いが修正化粧時に固まる欠点があり、液状ファウンデーションの場合、密着感は良いが持続力が弱い欠点がある。よって、近年、相当な持続力を有するとともに、皮膚に塗布するときに密着感が良いゲル状ファウンデーションを好む消費者が多くなった。
【０００４】
これにより、ゲル状ファウンデーションに対する容器の開発も必要になった。一般に、ゲル状ファウンデーションをガラス容器又はチューブ容器に充填して使用するときに使用者が手に取り出すか絞り出してパフ又は手を用いて皮膚に塗布する方式で使われた。
【０００５】
しかし、従来技術は、使用者が使用する度に化粧料を手に付けることになるため、毎度手を洗わなければならない使用上の不便な問題点があり、このように化粧料が付いた手を洗うことによって化粧料が損失される問題点があった。
【０００６】
前記のような問題点を解決するために、図１に示すように、本出願人は大韓民国登録実用新案第２０−０４６１４２４号にエアレスポンプを有するコンパクト容器を開示した。この従来の発明は、容器本体内にゲル状化粧料を充填しボタンを押すことによってポンプが作動してゲル状化粧料が排出板上に排出された後、パフで付けて使用するので、使用時に化粧料を手に付けないで使える。
【０００７】
前記の従来に使われるポンプ１００は、シリンダー１０１、ピストン１０２、ピストンリング１０３、吸入弁板１０４、上下移動部材１０５及びブッシング１０６から構成されている。
【０００８】
しかし、前記従来技術は、ポンプ１００が容器本体の内部中央に取り付けられ、構造上容器本体の底面に触れるように形成されているので、容器本体内で占める容積が大きいため、内容物収容空間を形成することができる範囲が小さくなり、容器本体内に収容された内容物の量が少なくて化粧品を短期間しか使えない問題点があった。
【０００９】
一般に、従来に化粧品に使われるポンプ１００は、行程距離が３．０ｍｍ〜６．３ｍｍに形成され、ポンプ１００の行程距離とシリンダー１０１の内径が１：１〜１：３の割合を有するように形成されているが、前記のような問題点を解決するためにポンプを容器本体の内部に取り付けた従来の構造からポンプを容器本体の上部に取り付けるように変更して容器本体内の内容物収容空間を拡大させる必要があった。
【００１０】
また、従来のポンプ１００は、ピストン１０２の中心軸とシリンダー１０１の中心軸が一致するときにのみポンプ１００が作動するように上下移動部材１０５とブッシング１０６の間隔を狭く形成して上下移動部材１０５が垂直運動するように誘導したが、使用者がポンプ１００を作動するときにポンプの真中を押さなければ上下移動部材１０５が傾いて、上下移動部材１０５がブッシング１０６に挟まることになって作動することができない問題点があった。
【００１１】
また、前記従来技術は、ポンプ１００のピストン１０２の中心軸とシリンダー１０１の中心軸が一致するようにしなければならないので、使用者が内容物の吐出のために排出板を押圧する際に押圧位置が限定され、それによって使用者がパフを用いて排出板の中心部を垂直に押圧するときに限りポンピングされるため、使用上の不便な問題点があった。
【発明の概要】
【発明が解決しようとする課題】
【００１２】
本発明は、上記のような問題点を解決するために案出されたもので、容器本体の上部にポンプ支持部を板状に形成し、前記ポンプ支持部上にポンプを結合するところ、前記ポンプは従来のようにピストン、ピストンリング、シリンダー、及び吸入弁板で形成されたポンプを使い、前記ポンプの行程距離を１．５ｍｍ〜２．５ｍｍに縮めるとともにポンプの行程距離とシリンダー内径の割合を従来の１：１〜１：３から１：５．５〜１：１３の割合に変更して形成することによって容器本体内の内容物収容空間を最大化できる、行程距離の短いポンプとリングボタン部材を備えたコンパクト容器を提供することに目的がある。
【００１３】
また、ポンプのシリンダーの上部にブッシングを結合するところ、上下移動部材が挿入される前記ブッシングの端部をラウンド状に形成し、前記ブッシングと上下移動部材との間に０．３ｍｍ〜１．２ｍｍの隙間を形成して、前記上下移動部材がブッシング内で遊動的に動けるようにし、ポンプの行程距離を短くすることにより、化粧品ポンピング方法が排出板の中心部を垂直に押圧しなければならないものに制限されるものではなく、排出板のどの部位を押圧しても容易に化粧料が排出されるようにする行程距離の短いポンプとリングボタン部材を備えたコンパクト容器を提供することに目的がある。
【００１４】
また、排出板の下部にリング状のリングボタン部材を形成し、前記リングボタン部材の下端の対角線方向に向き合う２ヶ所に圧迫溝を形成し、前記リングボタン部材の下部に分配板を形成するところ、分配板の外側の対角線方向に向き合う２ヶ所に前記リングボタン部材の圧迫溝の位置に対応するように圧迫突起を形成し、前記排出板と分配板を結合して内容物排出経路を形成することにより、内容物を吐き出すためにリングボタン部材を押圧するとき、リングボタン部材が傾いた状態で押圧されてもリングボタン部材の対角線方向に形成された圧迫溝が分配板の圧迫突起の上部を押圧することによって分配板がポンプを垂直に押圧することができるようにする行程距離の短いポンプとリングボタン部材を備えたコンパクト容器を提供することに目的がある。
【課題を解決するための手段】
【００１５】
本発明は、内容物収容空間３１が形成された内容器３０と、
前記内容器３０の上部に結合されて内容器３０を密閉するポンプ支持部４０と、
前記ポンプ支持部４０の中央上部に取り付けられて内容物をポンピングするポンプ５０と、
前記ポンプ５０の上部に結合され、外側の対角線方向に向き合う２ヶ所に圧迫突起６１が形成された分配板６０と、
前記分配板６０の上部に結合され、下端の対角線方向に向き合う２ヶ所に圧迫溝７１が形成されたリングボタン部材７０とを含み、
前記ポンプ５０は、行程距離が１．５ｍｍ乃至３．０ｍｍ、前記行程距離とシリンダー５１の内径の割合が１：５乃至１：１３となるように形成されることを特徴とする。
【００１６】
また、前記ポンプ５０のシリンダー５１はポンプ支持部４０の中央に一体に形成されることを特徴とする、行程距離の短いポンプとリングボタン部材を備えたコンパクト容器を提供する。
【００１７】
また、前記ポンプ５０は、底面に内容物吸入孔５８が形成されたシリンダー５１と、前記シリンダー５１の底面に装着されて前記内容物吸入孔５８を選択的に開閉する吸入弁板５２と、前記シリンダー５１の上端に載せられるように前記シリンダー５１の外側に結合されたブッシング５３と、前記シリンダー５１の内側に形成されるピストン５５と、前記ピストン５５の外側に嵌め合わせられ、前記シリンダー５１の内側面に密着するピストンリング５６と、前記ピストン５５の内周面に結合されて上下移動する上下移動部材５７と、前記上下移動部材５７を弾支する弾性部材５４とを含んでなることを特徴とする。
【００１８】
また、前記ブッシング５３の内側水平延長片５３２の内側端部はラウンド状に形成されることを特徴とする。
【００１９】
また、前記ブッシング５３の内側水平延長片５３２と上下移動部材５７の外側延長突輪５７２の間には前記上下移動部材５７がブッシング５３内で遊動的に動けるように０．３ｍｍ乃至１．２ｍｍの隙間５９が形成されることを特徴とする。
【００２０】
また、前記上下移動部材５７が一側に傾いた状態で押圧されても、前記ピストンリング５６によってシリンダー５１の内部が密閉されてポンプ５０が正常に作動するように前記ピストンリング５６の上部が外側に広がっており、前記ピストンリング５６の上部外側が前記上下移動部材５７の外側延長突輪５７２の内側に密着して結合され、前記ピストンリング５６のピストン羽５６１がシリンダー５１の内側面に密着するように形成されることを特徴とする。
【００２１】
また、前記リングボタン部材７０はリング状に形成され、一側に押圧ボタン７２が形成され、前記押圧ボタン７２の反対側外側には軸突起７３が形成されることを特徴とする。
【００２２】
また、前記リングボタン部材７０を押圧しても前記分配板６０の上面を押圧しても、ポンピングできるように前記分配板６０の圧迫突起６１はリングボタン部材７０の圧迫溝７１に嵌められることを特徴とする。
【発明の効果】
【００２３】
前記本発明による行程距離の短いポンプを備えたコンパクト容器は、容器本体の上部にポンプ支持部を板状に形成し、前記ポンプ支持部上にポンプを結合するところ、前記ポンプは従来のようにピストン、ピストンリング、シリンダー、吸入弁板で形成されたポンプを使い、前記ポンプの行程距離を１．５ｍｍ乃至２．５ｍｍに縮めるとともにポンプの行程距離とシリンダー内径の割合を従来の１：１乃至１：３から１：５．５乃至１：１３の割合に変更して形成することによって容器本体内の内容物収容空間を最大化することができるようにする行程距離の短いポンプとリングボタン部材を備えたコンパクト容器を提供する効果がある。
【００２４】
また、ポンプのシリンダーの上部にブッシングを結合し、上下移動部材が挿入される前記ブッシングの端部をラウンド状に形成し、前記ブッシングと上下移動部材の間に０．３ｍｍ〜１．２ｍｍの隙間を形成して、前記上下移動部材がブッシング内で遊動的に動けるようにし、ポンプの行程距離を短くすることにより、化粧品ポンピング方法が排出板の中心部を垂直に押圧しなければならないものに制限されるものではなく、排出板のどの部位を押圧しても容易に化粧料が排出されるようにする行程距離の短いポンプとリングボタン部材を備えたコンパクト容器を提供する効果がある。
【００２５】
また、排出板の下部にリング状のリングボタン部材を形成し、前記リングボタン部材の下端の対角線方向に向き合う２ヶ所に圧迫溝を形成し、前記リングボタン部材の下部に分配板を形成し、分配板の外側の対角線方向に向き合う２ヶ所に前記リングボタン部材の圧迫溝の位置に対応するように圧迫突起を形成し、前記排出板と分配板を結合して内容物排出経路を形成することにより、内容物を吐き出すためにリングボタン部材を押圧する際にリングボタン部材が傾いた状態で押圧されても、リングボタン部材の対角線方向に形成された圧迫溝が分配板の圧迫突起の上部を押圧することによって分配板がポンプを垂直に押圧することができるようにする行程距離の短いポンプとリングボタン部材を備えたコンパクト容器を提供する効果がある。
【図面の簡単な説明】
【００２６】
【図１】従来のエアレスポンプを有するコンパクト容器を示す図である。
【図２】本発明による行程距離の短いポンプとリングボタン部材を備えたコンパクト容器の斜視図である。
【図３】本発明による行程距離の短いポンプとリングボタン部材を備えたコンパクト容器の分解斜視図である。
【図４】本発明による行程距離の短いポンプとリングボタン部材を備えたコンパクト容器のＡ−Ａ線に沿った断面図である。
【図５】本発明による行程距離の短いポンプとリングボタン部材を備えたコンパクト容器のＢ−Ｂ線に沿った断面図である。
【図６】本発明による行程距離の短いポンプとリングボタン部材を備えたコンパクト容器が押圧された状態を示すＡ−Ａ線に沿った断面図である。
【図７】本発明による行程距離の短いポンプとリングボタン部材を備えたコンパクト容器が押圧された状態を示すＢ−Ｂ線に沿った断面図である。
【図８】本発明による行程距離の短いポンプとリングボタン部材を備えたコンパクト容器の押圧が解除された状態を示すＡ−Ａ線に沿った断面図である。
【発明を実施するための形態】
【００２７】
本発明による行程距離の短いポンプとリングボタン部材を備えたコンパクト容器の実施例を添付図面に基づいて説明すれば次のようである。
【００２８】
図２は本発明による行程距離の短いポンプとリングボタン部材を備えたコンパクト容器の斜視図であり、図３は本発明による行程距離の短いポンプとリングボタン部材を備えたコンパクト容器の分解斜視図であり、図４は本発明による行程距離の短いポンプとリングボタン部材を備えたコンパクト容器のＡ−Ａ線に沿った断面図であり、図５は本発明による行程距離の短いポンプとリングボタン部材を備えたコンパクト容器のＢ−Ｂ線に沿った断面図である。
【００２９】
本発明の実施例による行程距離の短いポンプとリングボタン部材を備えたコンパクト容器は、一側にボタン１１が形成された容器本体１０と前記容器本体１０の一側にヒンジ結合されて開閉される容器蓋２０とからなるコンパクト容器であって、内容物収容空間３１が形成された内容器３０と、前記内容器３０の上部に結合されて内容器３０を密閉するポンプ支持部４０と、前記ポンプ支持部４０の中央上部に取り付けられて内容物をポンピングするポンプ５０と、前記ポンプ５０の上部に結合され、外側の対角線方向に向き合う２ヶ所に圧迫突起６１が形成された分配板６０と、前記分配板６０の上部に結合され、下端の対角線方向に向き合う２ヶ所に圧迫溝７１が形成されたリングボタン部材７０とを含み、前記ポンプ５０は、行程距離が１．５ｍｍ〜３．０ｍｍであり、前記行程距離とシリンダー５１の内径の割合が１：５〜１：１３となるように形成されることを特徴とする。
【００３０】
前記容器本体１０の内部には内容器３０を収容する内容器収容空間１２が形成され、内側面には装着突起１３が形成される。
【００３１】
前記容器本体１０の一側にはボタン１１が形成され、前記ボタン１１の上側には使用者の押圧動作によって容易に後退する係合突起１７が突設されている。
【００３２】
前記容器蓋２０は容器本体１０を開閉し、容器蓋２０の一側には、前記容器本体１０の係合突起１７と対応する位置に突起形状のフック２１が形成されて前記容器本体１０の係合突起１７に締結される。
【００３３】
また、前記容器蓋２０の内側には、使用者が容易に化粧を行うことができるようにミラー２２が備えられている。
【００３４】
前記内容器３０の内側には、内容物を上方に押し上げる押上板３２が形成され、前記押上板３２は内容器３０の内側面に密着する。
【００３５】
前記内容器３０は、内容器底面３３と、前記内容器底面３３から上方に延設された内壁３５と、前記内壁３５から外側に一定間隔だけ離隔して形成された外壁３６とからなる。
【００３６】
前記内容器３０は容器本体１０の内容器挿入空間１２に挿入され、内容器３０の外壁３６の内周面には結合溝３６２が形成される。
【００３７】
また、前記内容器３０の内容器底面３３には外部空気が流入する空気流通孔３４が形成される。
【００３８】
前記ポンプ支持部４０は板状に形成され、前記内容器３０の上部に結合されて内容器３０を密閉する。
【００３９】
前記ポンプ支持部４０は、中央にシリンダー５１が一体に形成され、前記シリンダー５１の外側にポンプ５０のブッシング５３が結合されるブッシング結合溝４２が形成され、ブッシング結合溝４２の外側には下部延長突輪４３が下側に延設される。
【００４０】
前記ポンプ支持部４０の下部延長突輪４３の外周面には結合突起４３１が形成されて前記内容器３０の結合溝３６２と結合され、前記結合突起４３１の上側には段差部４３２が突設される。
【００４１】
前記ポンプ５０は内容物をポンピングし、従来のポンプのようにシリンダー５１、吸入弁板５２、ピストン５５及びピストンリング５６からなるが、前記ポンプ５０は、前記内容器３０内の内容物収容空間３１の面積を最大化するために、従来のポンプとは違い、前記ポンプ支持部４０の上部に取り付けられ、行程距離が１．５ｍｍ乃至３．０ｍｍ、前記行程距離とシリンダー５１の内径の割合が１：５乃至１：１３となるように形成され、従来のポンプに比べて著しく行程距離が短くてシリンダー５１の内径が大きなポンプ５０に形成される。
【００４２】
従来のポンプの行程距離とシリンダー内径の割合は、下記の表１の通りである。  
【００４３】
【表１】
0006535808.tif 000002
【００４４】
前記表１に示すように、従来のポンプは、行程距離が３．１ｍｍ乃至６．３ｍｍとなるように形成されて、ポンプの行程距離とシリンダー内径が１：１乃至１：３の割合を有するように形成されているが、前記従来のポンプを上下長が短くて左右長が大きなコンパクトのような容器に適用すれば、前記従来のポンプが容器本体内に形成された内容物収容空間内に内蔵されて内容物収容空間の容積を多く占めることになる問題がある。
【００４５】
上記のような問題点を解決するために、本発明による行程距離の短いポンプを備えたコンパクト容器は、ポンプ５０の行程距離を１．５ｍｍ乃至３．０ｍｍに縮めて、シリンダー５１の内径を拡大させるために、前記行程距離とシリンダー５１の内径の割合を１：５乃至１：１３に変更させて、板状のポンプ支持部４０の上部に取り付けることにより、前記内容器３０の内容物収容空間３１を最大限活用できるようにした。
【００４６】
前記ポンプ５０は、ポンプ支持部４０の中央上側に形成され、底面に内容物吸入孔５８が形成されたシリンダー５１と、前記シリンダー５１の底面に装着され、前記内容物吸入孔５８を選択的に開閉する吸入弁板５２と、前記シリンダー５１の上端に載せられるように前記シリンダー５１の外側に結合されたブッシング５３と、前記ブッシング５３の上部又はポンプ支持部４０の上部に装着されて上下移動部材５７を弾支する弾性部材５４と、前記シリンダー５１の内側に形成されるピストン５５と、前記ピストン５５の外側に嵌められ、前記シリンダー５１の内側面に密着するピストンリング５６と、前記ピストン５５の内周面に結合して上下移動する上下移動部材５７とからなる。
【００４７】
前記上下移動部材５７の中央下側には前記ピストン５５の内側に結合される内側延長突輪５７１が延設され、前記内側延長突輪５７１の外側に一定間隔で離隔して前記ピストンリング５６の外側に挿入される外側延長突輪５７２が延設される。
【００４８】
また、前記上下移動部材５７の中央上側には分配板６０が嵌められる上部延長突輪５７３が延設される。
【００４９】
前記上下移動部材５７の内側延長突輪５７１と外側延長突輪５７２の間にはポンピングされた内容物が通過する多数の排出通路５７４が形成される。
【００５０】
前記ブッシング５３の中央には前記上下移動部材５７の外側延長突輪５７２が貫く貫通ホール５３１が形成され、前記貫通ホール５３１の内側には内側水平延長片５３２が延設され、前記貫通ホール５３１の外側には多数の弾性部材収容部５３３が形成され、前記弾性部材収容部５３３の外側には前記ポンプ支持部４０のブッシング結合溝４２に嵌められる外側水平延長片５３４が形成される。
【００５１】
前記ブッシング５３の内側水平延長片５３２の内側端部はラウンド状に形成される。
【００５２】
また、前記ブッシング５３の内側水平延長片５３２と前記上下移動部材５７の外側延長突輪５７２の間には前記上下移動部材５７がブッシング５３内で遊動的に動けるように０．３ｍｍ乃至１．２ｍｍの隙間５９が形成されている。
【００５３】
すなわち、前記ポンプ５０のピストンリング５６の上部が外側に広がっており、ピストンリング５６の上端外側に密着突輪５６２が形成されて、前記ピストンリング５６の上部外側が前記上下移動部材５７の外側延長突輪５７２の内側に密着して密着されて嵌められ、前記ピストンリング５６のピストン羽５６１がシリンダー５１の内側面に密着するように形成されることにより、前記上下移動部材５７が一側に傾いた状態で押圧されても、前記ピストンリング５６によって前記シリンダー５１の内部が密閉されてポンプ５０が正常に作動するものである。
【００５４】
したがって、使用者が排出板６０の中心部を垂直に押圧せず中心部からずれた部分を押圧して前記上下移動部材５７が傾いても、前記ピストンリング５６がシリンダー５１の内部で正常に作動して内容物が容易にポンピングされる。
【００５５】
前記分配板６０の外縁には一対の圧迫突起６１が形成され、上面には内容物が移動する内容物排出経路６２が形成され、中央には前記上下移動部材５７の上部延長突輪５７３が挿入される結合ホール６３が形成される。
【００５６】
前記分配板６０の圧迫突起６１はリングボタン部材７０の圧迫溝７１の位置に対応するように形成されて前記リングボタン部材７０の圧迫溝７１に挿入される。
【００５７】
また、前記分配板６０の圧迫突起６１の上面は円弧形状であることが好ましい。
【００５８】
前記リングボタン部材７０はリング状に形成され、一側に押圧ボタン７２が上方に突設され、前記押圧ボタン７２の反対側外側には軸突起７３が形成される。
【００５９】
前記押圧ボタン７２と軸突起７３を連結する方向に対して垂直を成す位置にはそれぞれ一対の圧迫溝７１が形成される。
【００６０】
また、前記リングボタン部材７０の圧迫溝７１は半円又は四角形であることが好ましい。
【００６１】
すなわち、前記分配板６０の圧迫突起６１の上面を円弧形状に形成し、前記リングボタン部材７０の圧迫溝７１は半円又は四角形に形成し、前記圧迫突起６１を圧迫溝７１に結合することにより、使用者が化粧料を吐き出すためにリングボタン部材７０を押圧するとき、前記リングボタン部材７０が傾いた状態に押圧されても、リングボタン部材７０の圧迫溝７１が分配板６０の圧迫突起６１の上面に形成された円弧形状の上面において滑りながら分配板６０を垂直に押圧することによって、前記分配板６０がポンプ５０を均衡的に押圧することができる。
【００６２】
前記分配板６０の上側には排出板８０が形成される。前記排出板８０は分配板６０の上面に付着されるとともに前記リングボタン部材７０の上部に装着され、多数の排出孔８１が形成されている。
【００６３】
前記それぞれの排出孔８１の下側には前記分配板６０の内容物排出経路６２に装着される排出突輪８２が延設されている。前記排出突輪８２は内容物が通過できるように外周面の一側が開放されている。
【００６４】
前記排出板８０は分配板６０の上面に二重接着テープによって付着されることが好ましい。
【００６５】
前記容器本体１０の上部に結合されて内容器３０、分配板６０、排出板８０及びリングボタン部材７０が離脱されないように固定させる、固定部材９０がさらに設けられる。
【００６６】
前記固定部材９０の外周面には装着溝９１が形成されることで、前記容器本体１０の装着突起１３と結合される。
【００６７】
前記固定部材９０の下端は前記ポンプ支持部４０の段差部４３２の上面を押して固定させ、外周面の一側には軸結合溝９２が形成され、前記リングボタン部材７０の軸突起７３が嵌められる。
【００６８】
このように構成された行程距離の短いポンプとリングボタン部材を備えたコンパクト容器の組立方法を説明すれば次のようである。
【００６９】
本発明による行程距離の短いポンプとリングボタン部材を備えたコンパクト容器を組み立てるためには、まず図３及び図４に示すように、内容器３０の内部に押上板３２を押し入れて、化粧料を注入した後、前記内容器３０の上部にポンプ支持部４０を結合させた後、前記ポンプ支持部４０の上部にポンプ５０を取り付ける。
【００７０】
次に、前記のように組み立てられた内容器３０を、一側に容器蓋２０がヒンジ結合された容器本体１０の内部に挿入する。
【００７１】
次に、前記ポンプ５０の上下移動部材５７の上部に分配板６０を結合するとともに前記分配板６０の結合ホール６３に上下移動部材５７の上部延長突輪５７３を挿入する。
【００７２】
次に、前記分配板６０の上部にリング状のリングボタン部材７０を装着するところ、前記リングボタン部材７０の圧迫溝７１に分配板６０の圧迫突起６１が嵌められるようにする。
【００７３】
次に、前記分配板６０とリングボタン部材７０の上部に排出板８０を装着させるとともに前記排出板８０の排出突輪８２が分配板６０の内容物排出経路６２に装着されるようにする。
【００７４】
最後に、前記排出板８０の上部に固定部材９０を結合するところ、前記固定部材９０の装着溝９１に容器本体１０の装着突起１３が結合されるようにし、固定部材９０の軸結合溝９２にリングボタン部材７０の軸突起７３が嵌められるようにすることで、本発明による行程距離の短いポンプとリングボタン部材を備えたコンパクト容器の組立を完了する。
【００７５】
前記のような方法で組み立てられた行程距離の短いポンプとリングボタン部材を備えたコンパクト容器の使用方法を添付図面に基づいて説明すれば次のようである。
【００７６】
図６は本発明による行程距離の短いポンプとリングボタン部材を備えたコンパクト容器が押圧された状態を示すＡ−Ａ線に沿った断面図であり、図７は本発明による行程距離の短いポンプとリングボタン部材を備えたコンパクト容器が押圧された状態を示すＢ−Ｂ線に沿った断面図であり、図８は本発明による行程距離の短いポンプとリングボタン部材を備えたコンパクト容器の押圧が解除された状態を示すＡ−Ａ線に沿った断面図である。
【００７７】
本発明による行程距離の短いポンプとリングボタン部材を備えたコンパクト容器を使うためには、まずボタン１１を押圧して容器本体１０から容器蓋２０を開放する。
【００７８】
続いて、図６及び図７に示すように、リングボタン部材７０の押圧ボタン７２又は排出板８０の上面を押圧する。
【００７９】
前記押圧ボタン７２が押圧されれば、リングボタン部材７０が傾きながら下側に移動するようになり、前記リングボタン部材７０の下側に装着された分配板６０も一緒に下側に移動するようになる。
【００８０】
この際、前記リングボタン部材７０が傾いた状態で押圧されても、リングボタン部材７０の圧迫溝７１が分配板６０の圧迫突起６１の上面に形成された円弧状の上面において滑りながら分配板６０を垂直に押圧することによって前記分配板６０がポンプ５０を均衡的に押圧することができるようになる。
【００８１】
そして、前記排出板８０を直接押圧するときには前記排出板８０に結合された分配板６０が押圧されて共に下側に移動するようになり、前記分配板６０に結合されたポンプ５０の上下移動部材５７が下側に移動するようになる。
【００８２】
前記上下移動部材５７の下側移動によって上下移動部材５７の下側に結合されているピストン５５も一緒に下側に移動する。この際、ピストンリング５６はシリンダー５１の内側面に密着されているから、前記ピストン５５のみ下側に移動しながらピストン５５とピストンリング５６の間に隙間が生じて化粧料の排出通路が形成される。
【００８３】
その後、ずっと上下移動部材５７を押せば、ピストンリング５６が上下移動部材５７に接触されてピストン５５と一緒に下側に移動してシリンダー５１の内部容積が減少し、それによってシリンダー５１内に収容されていた化粧料がピストン５５とピストンリング５６の間から出て前記上下移動部材５７の排出通路５７４を通過した後、前記分配板６０の内容物排出経路６２を通って排出板８０の排出孔８１へ排出される。
【００８４】
同時に、シリンダー５１内の吐出圧力によって吸入弁板５２が前記シリンダー５１の底面に形成された内容物吸入孔５８を閉鎖させる。
【００８５】
その後、図８に示すように、前記リングボタン部材７０の押圧ボタン７２又は排出板８０の押圧を解除すれば、上下移動部材５７を弾支する弾性部材５４の弾性によって上下移動部材５７が上側に移動するようになり、前記上下移動部材５７の下側に結合されているピストン５５が上側に移動するようになる。この際、前記ピストン５５の下端外側に形成された拡張突輪５５２がピストンリング５６を上側に引き上げることによってピストン５５とピストンリング５６間の隙間が詰まって前記ピストン５５とピストンリング５６が一緒に上側に移動するようになり、シリンダー５１の内部容積が増加して真空圧が発生する。
【００８６】
前記シリンダー５１の内部に発生した真空圧によって吸入弁板５２の吸入バルブ羽５２２が持ち上げられてシリンダー５１の底面に形成された内容物吸入孔５８が開放されて、内容器３０の内部に収容されていた化粧料が前記内容物吸入孔５８を通じてシリンダー５１の内部に流入されるとともに前記内容器３０の内部に取り付けられた押上板３２が上方に移動するようになる。
【００８７】
以上、本発明で説明したものは行程距離の短いポンプとリングボタン部材を備えたコンパクト容器を実施するための一実施例に過ぎないものであり、本発明は前記実施例に限定されるものではない。添付の請求範囲で請求するように本発明の要旨を逸脱することなしに、本発明が属する分野で通常の知識を有する者であれば、誰でも多様な変更実施が可能な範囲まで本発明の範囲に属するものとして見なさなければならないであろう。
【符号の説明】
【００８８】
１０    容器本体
１１    ボタン
１２    内容器収容空間
１３    装着突起
２０    容器蓋
２１    フック
２２    ミラー
３０    内容器
３２    押上板
３４    空気流通孔
４０    ポンプ支持部
５０    ポンプ
５１    シリンダー
５３    ブッシング
６０    分配板
６１    圧迫突起
７０    リングボタン部材
７１    圧迫溝
８０    排出板
８１    排出孔
９０    固定部材
【図１】
0006535808.tif 000003
【図２】
0006535808.tif 000004
【図３】
0006535808.tif 000005
【図４】
0006535808.tif 000006
【図５】
0006535808.tif 000007
【図６】
0006535808.tif 000008
【図７】
0006535808.tif 000009
【図８】
0006535808.tif 000010